(57)【要約】【課題】この発明は、ＭＯＶＥ中でもそのコンテンツをＭＯＶＥ対象機器以外で視聴してその内容を確認できるようにする。【解決手段】  送信装置Ａ１０と受信装置Ｂ１１との間でコンテンツのＭＯＶＥ中に、受信装置Ｃ１２がＭＯＶＥ中のコンテンツ視聴を要求してきた場合に、ＭＯＶＥ中につき接続不可を受信装置Ｃ１２に通知すると共に、ＭＯＶＥ用１３とは別に、コピー制御情報をこれ以上コピー不可とした視聴用出力系統１４を用意して受信装置Ｃ１２に視聴用出力系統１４の確保を通知する。これにより、受信装置Ｃ１２はその視聴用出力系統１４を通じてNo More Copiesのコンテンツを取得し、ＭＯＶＥ中のコンテンツを視聴してその内容を確認することが可能となる。【選択図】    図１
2006099555.tif 000002
【特許請求の範囲】
【請求項１】
コピー制御情報が「１回コピー可」のコンテンツを別メディアに移動させた後に消去するＭＯＶＥ機能を備え、ＭＯＶＥ対象のコンテンツ受信装置との間でＭＯＶＥ用出力系統を通じてＭＯＶＥ処理を実行するコンテンツ送信装置において、
前記ＭＯＶＥ対象以外のコンテンツ受信装置からのＭＯＶＥ中のコンテンツの視聴要求を監視する監視手段と、
前記監視手段で視聴要求があったとき、前記視聴要求元装置にＭＯＶＥ用出力系統への接続拒否を通知する第１の通知手段と、
前記ＭＯＶＥ用出力系統とは別に、前記コピー制御情報を「これ以上コピー不可」とした視聴用コンテンツを出力する視聴用出力系統を用意する出力処理手段と、
前記視聴要求元装置に前記視聴用出力系統が用意されていることを通知する第２の通知手段とを具備し、
前記出力処理手段は、前記視聴用出力系統の通知に応答して視聴要求元装置が前記視聴用出力系統と接続された時、前記コピー制御情報を「これ以上コピー不可」とした視聴用コンテンツを出力することを特徴とするコンテンツ送信装置。
【請求項２】
前記ＭＯＶＥ対象内外のコンテンツ受信装置とＩＥＥＥ１３９４規格のケーブルで接続され、前記ＭＯＶＥ用出力系統をあるｏＰＣＲ（Output Plug Control Register）としたとき、
前記出力処理手段は、前記視聴用出力系統を前記ＭＯＶＥ用出力系統とは別のｏＰＣＲを用いて、前記ＭＯＶＥ用とは異なるチャンネルの伝送路を形成することを特徴とする請求項１記載のコンテンツ送信装置。
【請求項３】
前記第２の通知手段は、前記視聴用出力系統のコンテンツ伝送路確保を通知するために、ｉＰＣＲ（Input Plug Control Register）フォーマットのフィールド構成において、空きビットを「視聴用出力通知ビット」として設定し、視聴用出力系統との接続時に１を設定することを特徴とする請求項２記載のコンテンツ送信装置。
【請求項４】
前記出力処理手段は、前記視聴用出力系統で伝送するコンテンツの暗号化鍵を前記ＭＯＶＥ用出力系統とは異なるものとしたことを特徴とする請求項１記載のコンテンツ送信装置。
【請求項５】
コピー制御情報が「１回コピー可」のコンテンツを別メディアに移動させた後に消去するＭＯＶＥ機能を備え、ＭＯＶＥ対象のコンテンツ受信装置との間でＭＯＶＥ用出力系統を通じてＭＯＶＥ処理を実行するコンテンツ送信装置に対し、前記ＭＯＶＥ中のコンテンツの視聴を要求するコンテンツ受信装置において、
前記視聴要求に対してＭＯＶＥ用出力系統への接続拒否の通知を受け、さらに前記ＭＯＶＥ用出力系統とは別に、前記コピー制御情報を「これ以上コピー不可」とした視聴用コンテンツを出力する視聴用出力系統が用意された旨の通知を受け取り判別する通知判別手段と、
前記通知判別の結果に応じて入力系統を前記視聴用出力系統に接続する接続手段とを具備することを特徴とするコンテンツ受信装置。
【請求項６】
前記コンテンツ送信装置とＩＥＥＥ１３９４規格のケーブルで接続され、前記ＭＯＶＥ用出力系統であるｏＰＣＲ（Output Plug Control Register）を用いているとき、視聴要求の結果、前記視聴用出力系統として前記ＭＯＶＥ用出力系統とは別のｏＰＣＲを用いて、前記ＭＯＶＥ用とは異なるチャンネルの伝送路の形成が通知されるとき、前記接続手段は、視聴のみを行うコンテンツ受信装置の入力系統ｉＰＣＲを視聴用出力系統のｏＰＣＲに接続することを特徴とする請求項５記載のコンテンツ受信装置。
【請求項７】
前記通知判別手段は、前記視聴用出力系統のコンテンツ伝送路確保の通知が、ｉＰＣＲ（Input Plug Control Register）フォーマットのフィールド構成において、空きビットを「視聴用出力通知ビット」として設定し、視聴用出力系統との接続時に１を設定するものであるとき、前記「視聴用出力通知ビット」の値を判別することで視聴用出力系統の有無を判別することを特徴とする請求項６記載のコンテンツ受信装置。
【発明の詳細な説明】
【技術分野】
【０００１】
この発明は、コンテンツの著作権保護規格に準拠したコンテンツ送受信装置に係り、特に記録済コンテンツの移動中における制御処理に関する。
【背景技術】
【０００２】
コンテンツを保護するための著作権保護規格にＤＴＣＰ（Digital Transmission Content Protection）規格があり、チューナやデジタルテレビに搭載されている。そのため、これらＤＴＣＰ搭載機器には、コンテンツコピーに対する制限を加えるためのコピー制御機能が含まれている。この機能は、Copy Free（コピー許可）、Copy Once（１回コピー可）、No More Copies（これ以上コピー不可）、Copy Never（コピー不可）というコピー制御情報をコンテンツに付加するというものである。
【０００３】
上記コピー制御情報を用いて、Copy Onceのコンテンツをあるメディアに記録し、記録したメディアを再生する際には、No More Copiesにコピー制御情報を変更したコンテンツを送信することで、更なる記録を防止することができる。しかしながら、これによりCopy Onceのコンテンツは一度記録されると、記録したデータを別のメディアに移動することができない。そこで、それを回避する目的でＭＯＶＥという仕組みが用意されている。
【０００４】
ＭＯＶＥとは、Copy Onceのコンテンツを記録したメディアから別メディアに移動させ、元のメディアからはそのコンテンツを消去する仕組みである。但し、ＭＯＶＥを実行するためにはいくつか制限事項がある。例えば、一度記録したメディアからNo More Copiesで出力されるコンテンツをCopy Onceに変更して新たな記録機器へ伝送するため、新たな複数台への記録を回避する必要あり、受信可能な記録機器を１台に限定する。
【０００５】
ところで、ＭＯＶＥによってコンテンツを伝送している最中に、伝送中のコンテンツの概要を知るために別の機器でモニタリングしたい場合がある。しかしながら、ＭＯＶＥの実行中には受信できる機器が１台に限定され、別の装置で視聴する仕組みがないため、モニタリングは不可能である。
【０００６】
尚、ＭＯＶＥの処理については、特許文献１に記載されるデジタル情報記録装置にも紹介されている。但し、ここではＭＯＶＥの回数制限を紹介しているにすぎず、ＭＯＶＥ実行中に別の装置でモニタリングできるようにする技術については開示されていない。
【特許文献１】特開２００２−２５１８１９号公報
【発明の開示】
【発明が解決しようとする課題】
【０００７】
以上のように、従来のコンテンツ伝送におけるＤＴＣＰ規格では、ＭＯＶＥ中のコンテンツがCopy Once（１回コピー可）となることから受信できる機器を１台に限定するという仕組みにより、ＭＯＶＥ中には限定された機器以外にＭＯＶＥ中のコンテンツを視聴することができない。
【０００８】
この発明は、上記の問題を解決し、ＭＯＶＥ中でも、ＭＯＶＥ中のコンテンツをＭＯＶＥ対象機器以外で視聴してその内容を確認することができるコンテンツ送信装置とコンテンツ受信装置を提供することを目的とする。
【課題を解決するための手段】
【０００９】
この発明に係るコンテンツ送信装置は、コピー制御情報が「１回コピー可」のコンテンツを別メディアに移動させた後に消去するＭＯＶＥ機能を備え、ＭＯＶＥ対象のコンテンツ受信装置との間でＭＯＶＥ用出力系統を通じてＭＯＶＥ処理を実行する装置において、前記ＭＯＶＥ対象以外のコンテンツ受信装置からのＭＯＶＥ中のコンテンツの視聴要求を監視する監視手段と、前記監視手段で視聴要求があったとき、前記視聴要求元装置にＭＯＶＥ用出力系統への接続拒否を通知する第１の通知手段と、前記ＭＯＶＥ用出力系統とは別に、前記コピー制御情報を「これ以上コピー不可」とした視聴用コンテンツを出力する視聴用出力系統を用意する出力処理手段と、前記視聴要求元装置に前記視聴用出力系統が用意されていることを通知する第２の通知手段とを具備し、前記出力処理手段は、前記視聴用出力系統の通知に応答して視聴要求元装置が前記視聴用出力系統と接続された時、前記コピー制御情報を「これ以上コピー不可」とした視聴用コンテンツを出力することを特徴とするものである。
【００１０】
また、この発明に係るコンテンツ受信装置は、コピー制御情報が「１回コピー可」のコンテンツを別メディアに移動させた後に消去するＭＯＶＥ機能を備え、ＭＯＶＥ対象のコンテンツ受信装置との間でＭＯＶＥ用出力系統を通じてＭＯＶＥ処理を実行するコンテンツ送信装置に対し、前記ＭＯＶＥ中のコンテンツの視聴を要求する装置において、前記視聴要求に対してＭＯＶＥ用出力系統への接続拒否の通知を受け、さらに前記ＭＯＶＥ用出力系統とは別に、前記コピー制御情報を「これ以上コピー不可」とした視聴用コンテンツを出力する視聴用出力系統が用意された旨の通知を受け取り判別する通知判別手段と、前記通知判別の結果に応じて入力系統を前記視聴用出力系統に接続する接続手段とを具備することを特徴とするものである。
【発明の効果】
【００１１】
上記した発明によれば、送信側において、ＭＯＶＥ中でも、ＭＯＶＥに使用しているコンテンツ出力系統以外に、コピー制御情報のみをNo More Copiesにした視聴用コンテンツの出力系統を用意し、これを視聴要求してきた受信側に通知してＭＯＶＥ用出力平等とは別系統でコピー不能な視聴コンテンツを送信するようにしているので、ＭＯＶＥ中のコンテンツをＭＯＶＥ対象機器以外で視聴し、その内容を確認することができる。これにより、ＭＯＶＥ中でも、ＭＯＶＥ中のコンテンツをＭＯＶＥ対象機器以外で視聴してその内容を確認することができるコンテンツ送信装置とコンテンツ受信装置を提供することができる。
【発明を実施するための最良の形態】
【００１２】
以下、この発明の実施の形態について図面を参照して詳細に説明する。尚、以下の説明では、各機器がＤＴＣＰ規格に準拠する仕様であるものとする。
【００１３】
図１は、この発明のコンテンツ送受信装置の一実施形態の構成を示すブロック図である。図１において、コンテンツ送信装置Ａ１０は、例えばデジタルテレビジョン放送用チューナＴで受信した著作権保護対象のコンテンツを記録したハードディスクレコーダであり、コンテンツ受信装置Ｂ１１は例えばコンテンツを取り込んでＤＶＤ（Digital Versatile Disk）に保存するＤＶＤレコーダであり、コンテンツ受信装置Ｃ１２は例えば表示装置である。
【００１４】
いま、コンテンツ送信装置Ａ１０からコンテンツ受信装置Ｂ１１にコンテンツのＭＯＶＥを行なうものとする。ＭＯＶＥ中、コンテンツ送信装置Ａ１０とコンテンツ受信装置Ｂ１１との間では、コピー制御情報がCopy Once（１回コピー可）に書き換えられてコンテンツが送信される。その間、コンテンツ保護のために、コンテンツ受信装置Ｃ１２は、Copy Onceのコンテンツが送信されている出力系統（ＭＯＶＥ用出力系統）１３には接続できない仕組みが持たれている。
【００１５】
この状態で、コンテンツ受信装置Ｃ１２がＭＯＶＥ中のコンテンツの内容を確認するために、当該コンテンツの視聴を要求してきたとする。この場合には、その対応コンテンツがＭＯＶＥ中のため、ＭＯＶＥ用出力系統１３に接続できないことをコンテンツ受信装置Ｃ１２に通知する。さらに、ＭＯＶＥ用とは別に、コピー制御情報をNo More Copies（これ以上コピー不可）とした視聴用出力系統１４を用意し、コンテンツ受信装置Ｃ１２に視聴用出力系統１４が用意されていることを通知する。これにより、コンテンツ受信装置Ｃ１２はその視聴用出力系統１４を通じてNo More Copiesのコンテンツを取得することができ、ＭＯＶＥ中のコンテンツを視聴してその内容を確認することができる。
【００１６】
図２は、この発明をＩＥＥＥ１３９４仕様のコンテンツ送受信装置（以下、１３９４機器と称する）に適用した場合の一実施例を示すブロック図である。図２において、１３９４機器Ａ２０は、著作権保護対象のコンテンツを備え、１３９４機器Ａ２０から１３９４機器Ｂ２１に対して出力系統２３によりコンテンツのＭＯＶＥを行なう。ＭＯＶＥ中、１３９４機器Ａ２０と１３９４機器Ｂ２１の間では、コピー制御情報をCopy Onceとしたコンテンツが送信される。
【００１７】
その間、１３９４機器Ｃ２２では、コンテンツ保護のために、Copy Onceのコンテンツが送信されている出力プラグｏＰＣＲ［０］（ｏＰＣＲ：Output Plug Control Register）にはオーバーレイできない仕組みを持たれている。この状態で、１３９４機器Ｃ２２がＭＯＶＥ中のコンテンツの内容を確認するために視聴を要求してきた場合には、ｏＰＣＲ［０］の出力系統２３にオーバーレイできないことを１３９４機器Ｃ２２に通知すると共に、ＭＯＶＥ用とは別にコピー制御情報がNo More Copiesで出力するプラグｏＰＣＲ［１］の出力系統２４を用意して１３９４機器Ｃ２２と接続を行なう。その際、１３９４機器Ｃ２２には視聴用のプラグと接続を行なったことを示す通知を行なう。１３９４機器Ｃ２２は１３９４機器Ａ２０からの通知を受けて視聴用プラグとの接続を認識し、これによってＭＯＶＥ中のコンテンツを視聴してその内容を確認することができる。
【００１８】
以下、図３乃至図７を参照して、上記コンテンツ送信装置Ａ２０とコンテンツ受信装置Ｃ２２の具体的な構成と処理手順について説明する。
【００１９】
図３は、図２に示した１３９４機器Ａ２０の具体的な構成を示すブロック図である。
【００２０】
図３において、オーバーレイ監視部３０は、１３９４機器Ａ２０が出力プラグｏＰＣＲ［０］から３２ｃｈで１３９４機器Ｂ２１にＭＯＶＥを行なっている際、１３９４機器Ｂ２１以外からのｏＰＣＲ［０］に対する信号接続要求を監視する。オーバーレイ不可通知部３１は、オーバーレイ監視部３０で１３９４機器Ｃ２２（１３９４機器Ｂ２１以外）からオーバーレイの信号接続要求を検出した場合に、１３９４機器Ｃ２２の信号接続要求に対して接続拒否の通知を行なう。
【００２１】
別プラグ接続部３２は、上記オーバーレイ不可通知部３１で１３９４機器Ｃ２２に対してｏＰＣＲ［０］での接続が拒否された場合に、ＭＯＶＥ中のコンテンツのコピー制御情報をNo More Copiesで出力する３２ｃｈ以外のチャンネル（例えば３３ｃｈ）と帯域を新たに確保し、新たな出力プラグｏＰＣＲ［１］と１３９４機器Ｃ２２の入力プラグｉＰＣＲ［０］（ｉＰＣＲ：Input Plug Control Register）を接続させ、３３Ｃｈでのコンテンツ伝送路２４を確保する。同時に、この接続が視聴用出力であることを１３９４機器Ｃ２２に通知する。コピー制御情報付加部３３は、ｏＰＣＲ［１］から送信するコンテンツのコピー制御情報をNo More Copiesとして、上記別プラグ接続部３２によって確保されたコンテンツ伝送路２４を通じて１３９４機器Ｃ２２に出力する。その際、コンテンツ暗号化復号化に用いる鍵はＭＯＶＥ用とは別のものを使用する。
【００２２】
ここで、上記オーバーレイ不可通知部３１で行う接続拒否の通知方法としては、１３９４機器Ｃ２２が１３９４機器Ａ２０に対して要求する、ｏＰＣＲ［０］のPoint-to-point接続数を１つ増やすというロックトランザクションに対し、接続数を増やさずにその返答を行なうことで、１３９４機器Ｃ２２にｏＰＣＲ［０］との接続に失敗したことを認識させる方法がある。また、別の方法としては、１３９４機器Ｃ２２からの接続要求に答え、接続を許可した後に、１３９４機器Ｃ２２からの認証処理（ＡＫＥ：Authentication & Key Exchange）に対してRejectを返し、コンテンツ送信を拒否するという方法もある。
【００２３】
また、上記別プラグ接続部３２で行う視聴用出力のコンテンツ伝送路確保の通知方法としては、図４に示すｉＰＣＲフォーマットのフィールド構成において、３２ｂｉｔ目に「視聴用出力通知ビット」を新規に設定し、視聴用出力プラグとの接続時に１（フラグを立てる）を設定する方法がある。すなわち、１３９４機器Ａ２０が１３９４機器Ｃ２２のｉＰＣＲ［０］設定のロックトランザクションの時に「視聴用出力通知ビット」を１に書き換え、この接続が視聴用出力であることを１３９４機器Ｃ２２に通知する。これにより、１３９４機器Ｃ２２はＭＯＶＥ中のコンテンツを視聴用出力プラグからコピー不可の状態で取得し視聴可能となったことを認識することができる。
【００２４】
上記の通知方法を利用した場合の１３９４機器Ａ２０の処理の流れを図５に示し、１３９４機器Ｃ２２の処理の流れを図６に示して、それぞれの処理手順について説明する。
【００２５】
まず、１３９４機器Ａ２０では、図５に示すように、出力プラグｏＰＣＲ［０］から３２ｃｈで１３９４機器Ｂ２１にＭＯＶＥを行なっている際、オーバーレイ監視部３０により、１３９４機器Ｂ２１以外からのｏＰＣＲ［０］に対する信号接続要求を監視する（ステップＳ１０１）。この状態で１３９４機器Ｃ２２からオーバーレイの信号接続要求を受けた場合（ステップＳ１０２）、オーバーレイ不可通知部３１から１３９４機器Ｃ２２の信号接続要求に対し、前述の方法によって接続拒否の通知を行なう（ステップＳ１０３）。
【００２６】
続いて、１３９４機器Ｃ２２に対して、ｏＰＣＲ［０］での接続を拒否した後、別プラグ接続部３２においてＭＯＶＥ中のコンテンツのコピー制御情報をNo More Copiesで出力するチャンネル（例えば３３Ｃｈ）と帯域を新たに確保し、新たな出力プラグｏＰＣＲ［１］と１３９４機器Ｃ２２の入力プラグｉＰＣＲ［０］を接続させ、３３Ｃｈでのコンテンツ伝送路を確保する（ステップＳ１０４）。同時に、ｉＰＣＲフォーマットの３２ｂｉｔ目に「視聴用出力通知ビット」を新規に設定することで、１３９４機器Ｃ２２のｉＰＣＲ［０］設定のロックトランザクションの時に「視聴用出力通知ビット」を１に書き換え、この接続が視聴用出力であることを１３９４機器Ｃ２２に通知する（ステップＳ１０４）。
【００２７】
これにより、１３９４機器Ｃ２２はＭＯＶＥ中のコンテンツを視聴用出力から視聴できることを認識することができる。そして、１３９４機器Ｃ２２からの認証処理後、コピー制御情報付加部３３においてｏＰＣＲ［１］から送信するコンテンツのコピー制御情報をNo More Copiesとして出力する（ステップＳ１０５）。その際、コンテンツ暗号化復号化に用いる鍵はＭＯＶＥ用とは別のものを使用する。
【００２８】
一方、１３９４機器Ｃ２２では、図６に示すように、各ｉＰＣＲへの接続要求を監視する（ステップＳ２０１）。ｉＰＣＲへの接続要求があった場合（ステップＳ２０２）、視聴用出力通知ビットが１か確認する（ステップＳ２０３）。視聴用出力通知ビットが１であった場合、その接続を介して伝送されるコンテンツをＭＯＶＥ中の視聴用出力として認識し（ステップＳ２０３）、これを受信する（ステップＳ２０５）。
【００２９】
上記の処理手順を持つ１３９４機器Ａ２０及び１３９４機器Ｃ２２の相互の処理の流れをまとめると、図７のシーケンス図に示すようになる。
【００３０】
図７において、まず、１３９４機器Ａ２０において、出力プラグｏＰＣＲ［０］から３２ｃｈで１３９４機器Ｂ２１にＭＯＶＥを行なっている際、１３９４機器Ａ２０では、１３９４機器Ｂ２１以外からのｏＰＣＲ［０］に対する信号接続要求を監視する。オーバーレイの信号接続要求（ｏＰＣＲ［０］の書換）（３０１）を１３９４機器Ｃ２２から受けた場合、１３９４機器Ａ２０から１３９４機器Ｃ２２の信号接続要求に対し、ｏＰＣＲ［０］への接続拒否（ｏＰＣＲ［０］への書換失敗）の通知（３０２）を行ない、１３９４機器Ｃ２２にｏＰＣＲ［０］との接続に失敗したことを認識させる。
【００３１】
続いて、１３９４機器Ａ２０は、視聴用出力ｏＰＣＲ［１］の設定と視聴用出力通知ビットの付加を行うことで、１３９４機器Ｃ２２に対して、ＭＯＶＥ中のコンテンツのコピー制御情報をNo More Copiesで出力するチャンネル（例えば３３Ｃｈ）と帯域を新たに確保する（３０３）。
【００３２】
次に、１３９４機器Ａ２０は、新たな出力プラグｏＰＣＲ［１］を１３９４機器Ｃ２２の入力プラグｉＰＣＲ［０］に接続するように要求し（ｉＰＣＲ［０］の書換）（３０４）、３３Ｃｈでのコンテンツ伝送路を確保する。同時に、ｉＰＣＲフォーマットの３２ｂｉｔ目に新規に設定した「視聴用出力通知ビット」を１に書き換え、この接続が視聴用出力であることを１３９４機器Ｃ２２に通知する。これにより、１３９４機器Ｃ２２は、視聴用出力通知ビットの検出によってＭＯＶＥ中のコンテンツを視聴用出力から取得し視聴できることを認識する（３０５）。
【００３３】
このとき、１３９４機器Ｃ２２は、１３９４機器Ａ２０に対してｉＰＣＲ［０］への接続完了（ｉＰＣＲ［０］の書換成功）を通知する（３０６）。そして、ＡＫＥ等の認証処理後、１３９４機器Ａ２０はｏＰＣＲ［１］から送信するコンテンツのコピー制御情報をNo More Copiesに変更し（３０７)、当該コンテンツを送信する（３０８）。その際、コンテンツ暗号化復号化に用いる鍵はＭＯＶＥ用とは別のものを使用する。これらにより、１３９４機器Ｃ２２はＭＯＶＥ中のコンテンツを受信し視聴することができる。
【００３４】
以上のように、従来、No More CopiesのコンテンツをＭＯＶＥする際、対象機器以外はそのコンテンツを視聴することができなかったが、この発明を適用したコンテンツ送受信装置によれば、ＭＯＶＥ中でも対象機器以外で同一コンテンツをモニタリングすることができる。これにより、ＭＯＶＥしているコンテンツが正しいものか視覚的に確認しながらＭＯＶＥを行なうことができる。
【００３５】
尚、上記の構成例では、図中、Ａ−Ｂ間、Ａ−Ｃ間は別々の配線がなされているように示しているが、物理的に切り離す必要はなく、例えば暗号化鍵をＭＯＶＥ用出力と視聴用出力とで変えることで互いのコンテンツ取得は不能となるため、シリアル接続、バス接続のいずれであっても実施可能である。
【００３６】
また、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３７】
【図１】この発明のコンテンツ送受信装置の一実施形態の構成を示すブロック図。
【図２】この発明をＩＥＥＥ１３９４仕様のコンテンツ送受信装置に適用した場合の一実施例を示すブロック図。
【図３】図２に示す実施例の１３９４機器（送信装置）Ａの具体的な構成を示すブロック図。
【図４】図２に示す実施例に用いるｉＰＣＲフォーマットのフィールド構成を示す図。
【図５】図２に示す実施例における１３９４機器（送信装置）Ａの処理の流れを示すフローチャート。
【図６】図２に示す実施例における１３９４機器（受信装置）Ｃの処理の流れを示すフローチャート。
【図７】図２に示す実施例における１３９４機器Ａ，Ｃ間の一連の流れを示すシーケンス図。
【符号の説明】
【００３８】
Ｔ…デジタルテレビジョン放送用チューナ、１０…コンテンツ送信装置Ａ（例えばハードディスクレコーダ）、１１…コンテンツ受信装置Ｂ（例えばＤＶＤレコーダ）、１２…コンテンツ受信装置Ｃ（例えば表示装置）、１３…ＭＯＶＥ用出力系統、１４…視聴用出力系統、２０…１３９４機器（コンテンツ送信）、２１…１３９４機器Ｂ（コンテンツ記録）、２２…１３９４機器Ｃ（コンテンツ視聴）、２３…ＭＯＶＥ用出力系統、２４…視聴用出力系統、３０…オーバーレイ監視部、３１…オーバーレイ不可通知部、３２…別プラグ接続部、３３…コピー制御情報付加部。
【図１】
2006099555.tif 000003
【図２】
2006099555.tif 000004
【図３】
2006099555.tif 000005
【図４】
2006099555.tif 000006
【図５】
2006099555.tif 000007
【図６】
2006099555.tif 000008
【図７】
2006099555.tif 000009